(57)【要約】      （修正有）【課題】底部と、その底部から伸長する複数の壁とを有する筐体を備えるキャリングケースの提供。【解決手段】キャリングケース１０は、底部２６と、その底部２６から伸長する複数の壁とを有する筐体１２を備える。キャリングケース１０が閉鎖構成にある時、筐体１２が引き出し部１４を受ける。キャリングケース１０を閉鎖構成から開放構成へ移動させるために、引き出し部１４を筐体１２から取り外し、かつ、筐体１２に対して実質的に９０度回転させることで、キャリングケース１０が開放構成にある時、引き出し部１４が筐体１２に対して実質的に垂直に伸長する。【選択図】図４
2018158127.tif 000002
【特許請求の範囲】
【請求項１】
キャリングケースであって、
筺体であって、底部と、前記筐体の前記底部から伸長する第１の筐体側壁と、前記筐体の前記底部から伸長する第２の筐体側壁と、前記第１の筐体側壁と前記第２の筐体側壁との間で前記筐体の前記底部から伸長する筐体前壁と、前記第１の筐体側壁と前記第２の筐体側壁との間で前記筐体の前記底部から伸長する筐体後壁とを有し、前記筐体前壁は自由縁を備えた筐体と、
前記筐体が受ける引き出し部であって、底部と、前記引き出し部の前記底部から伸長する第１の引き出し部側壁と、前記引き出し部の前記底部から伸長する第２の引き出し部側壁と、前記第１の引き出し部側壁と前記第２の引き出し部側壁との間で前記引き出し部の前記底部から伸長する引き出し部前壁と、前記第１の引き出し部側壁と前記第２の引き出し部側壁との間で前記引き出し部の前記底部から伸長する引き出し部後壁と、を有し、前記キャリングケースが閉鎖構成にある時は、前記筐体が前記引き出し部を受け、前記キャリングケースを前記閉鎖構成から開放構成へと移動させる時は、前記引き出し部を前記筐体から取り外され、かつ、前記筐体に対して９０度回転されると共に、前記キャリングケースが前記開放構成にある時、前記引き出し部の前記底部が、前記筐体前壁の前記自由縁と係合して、前記筐体に対して９０度を超えて回転することを規制する、ことを特徴とするキャリングケース。
【請求項２】
前記筐体上に配置される筺体留め具と、
前記引き出し部上に配置される引き出し部留め具と、
前記筺体留め具と前記引き出し部留め具との間で伸長する引張りストラップであって、前記キャリングケースが前記閉鎖構成にある時、前記引張りストラップを伸長させることで、前記キャリングケースを前記開放構成に片寄らせる、引張りストラップと、をさらに含む、請求項１に記載のキャリングケース。
【請求項３】
前記筐体上に配置される、第１の筺体留め具および第２の筺体留め具と、
前記引き出し部上に配置される、第１の引き出し部留め具および第２の引き出し部留め具と、
前記第１の筺体留め具と前記第２の引き出し部留め具との間で伸長する第１の引張りストラップ、および、前記第２の筺体留め具と前記第１の引き出し部留め具との間で伸長する第２の引張りストラップであって、前記キャリングケースが前記閉鎖構成にある時、前記第１の引張りストラップおよび前記第２の引張りストラップを伸長させることで、前記キャリングケースを前記開放構成に片寄らせる、第１の引張りストラップおよび第２の引張りストラップと、をさらに含む、請求項１に記載のキャリングケース。
【請求項４】
前記第１の筐体側壁の内側におけるくぼみと、前記第２の筐体側壁の内側におけるくぼみと、をさらに含み、前記第１の引き出し部留め具は、前記第１の筐体側壁の内側の前記くぼみ内に配置され、かつ、前記くぼみに沿って移動可能であり、前記第２の引き出し部留め具は、前記第２の筐体側壁の内側の前記くぼみ内に配置され、かつ、前記くぼみに沿って移動可能である、請求項３に記載のキャリングケース。
【請求項５】
前記第１の引き出し部留め具は前記第１の引き出し部側壁上に配置され、前記第２の引き出し部留め具は前記第２の引き出し部側壁上に配置され、
前記第１の筺体留め具および前記第２の筺体留め具は両方とも、前記筐体の前記底部に配置される、請求項３または４に記載のキャリングケース。
【請求項６】
前記筺体の前記底部における開口部と、
前記引き出し部における突出部であって、前記キャリングケースが前記閉鎖構成にある時、前記筐体の前記底部の前記開口部が受ける、突出部と、をさらに含む、請求項１に記載のキャリングケース。
【請求項７】
前記筐体後壁における開口部と、
前記引き出し部における突出部であって、前記キャリングケースが前記開放構成にある時、前記筐体後壁の前記開口部が受ける、突出部と、をさらに含む、請求項１に記載のキャリングケース。
【請求項８】
前記突出部における溝をさらに含み、前記キャリングケースが前記開放構成にある時、前記突出部の前記溝は、前記筐体後壁の前記開口部の縁端部を係合する、請求項７に記載のキャリングケース。
【請求項９】
前記引き出し部の前記底部における溝をさらに含み、前記ケースが前記開放構成にある時、前記引き出し部の前記底部における前記溝が前記筐体前壁の前記自由縁を受ける、請求項１に記載のキャリングケース。
【請求項１０】
前記筐体前壁は、前記筐体後壁の高さの半分以下である、請求項１に記載のキャリングケース。
【請求項１１】
前記引き出し部はカバーをさらに含む、請求項１に記載のキャリングケース。
【発明の詳細な説明】
【技術分野】
【０００１】
本発明は、キャリングケースに関し、特に、携帯する時に容易く出し入れできるように改良されたカメラキャリングケースに関する。
【背景技術】
【０００２】
１９６８年１月１６日付でＨａｌｌらに対して発行された特許文献１は、キャリングケースを肩から吊り下げる装置を開示しており、その全開示は参照することにより本明細書に援用される。当該キャリングケースは、底壁、側壁、および、側壁のうちの１つに蝶番で取り付けられた蓋を有する。当該吊り下げ装置は、通常、間隔を置いて配置されたアームを含むＵ字形取っ手を備える。間隔を置いて配置されたアームをケースの対向する側壁に枢動可能に連結するための枢動手段がある。枢動手段はキャリングケースの枢軸を定める。取っ手に連結され、かつ、ケースを人の肩から吊り下げるように適応されたストラップ手段がある。第１の位置と第２の位置との間で、枢軸を中心にしたケースの枢動を制限するための停止手段がある。第１の位置において、キャリングケースは通常垂直であり、かつ、標準携帯位置にある。第２の位置において、キャリングケースは通常水平であり、蓋を持ち上げることによって、キャリングケースの内部への出し入れが可能である。
【０００３】
１９８２年４月６日付でＬｏｗｅに対して発行された特許文献２は、人の肩から吊り下げることができ、かつ、人の肩から吊り下げている間に開放することができるキャリングケースを開示しており、その全開示は参照することにより本明細書に援用される。当該キャリングケースは、対向する側壁と、前部、後部および底部があり、開いている最上部とを有する下ケース部分を有する。カバーが、下ケース部分の後部に枢動可能に装着される。カバーは、下ケース部分の最上部で開閉する。下ケース部分の対向する側壁に装着された対向する端部を有する肩ストラップがある。カバーの開放後、カバーを閉鎖しようとする方向において、カバーに対してストラップが動かないようにするために、ストラップおよびカバーを適所で共に締め付けるために使用可能なファスナー手段がある。当該キャリングケースを人の肩から吊り下げる間、ストラップに張力がかけられている時、そのストラップの長さに沿った加圧に対するストラップの剛性を利用して、カバーが閉鎖しないようにすることができる。
【０００４】
１９８８年３月２９日付でＬｏｗｅに対して発行された特許文献３も、人の肩にかけて携帯することができ、かつ、人の肩にかけている間でも開放することができるキャリングケースを開示しており、その全開示は参照することにより本明細書に援用される。当該キャリングケースは、多数の穴を有する堅い底壁を形成するケース部分を有する。複数のパイロン装置があり、そのそれぞれは、前記の堅い底壁の穴から挿入可能であり、かつ、その場所で締め付け可能であるファスナーを有する。穴は、各パイロン装置の幅よりも互いに近接しており、それによって、パイロン装置のうちの２つは、一対の隣接する穴において装着不可能である。これによって、器具を保持するために当該器具に対して適度な力で押し付けるための理想的な位置に近接してパイロンを装着することができる。パイロン装置のそれぞれは、付随した１つのねじ切りスタッドを有することができるため、パイロン装置を回すことによって迅速に設置可能である。
【先行技術文献】
【特許文献】
【０００５】
【特許文献１】米国特許第３，３６３，８１４号
【特許文献２】米国特許第４，３２３，１８０号
【特許文献３】米国特許第４，７３３，８０６号
【発明の概要】
【発明が解決しようとする課題】
【０００６】
従って、底部と、その底部から伸長する複数の壁とを有する筐体を備えるキャリングケースが提供される。キャリングケースが閉鎖構成にある時は、筐体が引き出し部を受ける。キャリングケースを閉鎖構成から開放構成へ移動させるためには、引き出し部を筐体から取り外し、かつ、筐体に対して実質的に９０度回転させる。そうすることで、キャリングケースが開放構成にある時、引き出し部は筐体に対して実質的に垂直に伸長する。
【０００７】
筐体、および、筐体が受ける引き出し部を備えるキャリングケースも提供される。当該筐体は、底部と、両方とも筐体の底部から伸長する第１の筐体側壁および第２の筐体側壁と、筐体側壁間で筐体の底部から伸長する筐体前壁と、筐体側壁間で筐体底部から伸長する筐体後壁とを有する。引き出し部は、底部と、引き出し部の底部から伸長する第１の引き出し部側壁および第２の引き出し部側壁と、引き出し部側壁間で引き出し部の底部から伸長する引き出し部前壁と、引き出し部の側壁間で伸長する引き出し部後壁とを有する。キャリングケースが閉鎖構成にある時は、筐体が引き出し部を受ける。キャリングケースを閉鎖構成から開放構成へと移動させる時は、引き出し部を筐体から取り外し、かつ、筐体に対して実質的に９０度回転させる。そうすることで、キャリングケースが開放構成にある時、引き出し部は筐体に対して実質的に垂直に伸長する。
【課題を解決するための手段】
【０００８】
キャリングケースは、筺体留め具、引き出し部留め具、および、引張りストラップをさらに含むことができる。引張りストラップは、筺体留め具と引き出し部留め具との間で伸長することができ、引張りストラップを、キャリングケースが閉鎖構成にある時に伸長させることで、キャリングケースを開放構成に片寄らせることができる。あるいは、キャリングケースは、筐体上に配置される、第１の筺体留め具および第２の筺体留め具をさらに含むことができる。また、引き出し部上に配置される、第１の引き出し部留め具および第２の引き出し部留め具がある場合がある。第１の引張りストラップは、第１の筺体留め具と第２の引き出し部留め具との間で伸長することができる。第２の引張りストラップは、第２の筺体留め具と第１の引き出し部留め具との間で伸長することができる。第１の引張りストラップおよび第２の引張りストラップを、キャリングケースが閉鎖構成にある時に伸長させることで、キャリングケースを開放構成に片寄らせることができる。
【０００９】
第１の筐体側壁の内側にくぼみがあり、第２の筐体側壁の内側にくぼみがある。第１の引き出し部留め具を、第１の筐体側壁の内側のくぼみ内に配置し、かつ、当該くぼみに沿って移動可能とすることができる。第２の引き出し部留め具を、第２の筐体側壁の内側のくぼみ内に配置し、かつ、当該くぼみに沿って移動可能とすることができる。第１の引き出し部留め具は第１の引き出し部側壁上に配置されてもよく、第２の引き出し部留め具は引き出し部の第２の側壁上に配置されてもよい。第１の筺体留め具および第２の筺体留め具は両方とも、筐体の底部に配置されてもよい。
【００１０】
筺体の底部に開口部があってもよく、引き出し部に突出部があってもよい。キャリングケースが閉鎖構成にある時、筐体の底部の開口部が突出部を受けることができる。後部の筐体壁に開口部があってもよい。キャリングケースが開放構成にある時、後部の筐体壁の開口部が突出部を受けることができる。突出部に溝があってもよい。キャリングケースが開放構成にある時、突出部の溝は、後部の筐体後壁の開口部の縁端部を係合することができる。
【００１１】
引き出し部に溝があってもよい。ケースが開放構成にある時、筐体前壁の自由縁を当該溝は受けることができる。筐体前壁を、筐体後壁の高さの半分以下とすることができる。引き出し部はカバーを含むことができる。
【００１２】
本発明は、添付の図面を参照して、例としてのみ示される、本発明の実施形態の以下の説明からさらに容易に理解されよう。
【図面の簡単な説明】
【００１３】
【図１】閉鎖構成にある改良されたカメラキャリングケースの第１の実施形態の斜視図である。
【図２】図１のカメラキャリングケースの分解図である。
【図３】部分的に点線で示された、閉鎖構成にある図１のキャリングケースの斜視図である。
【図４】部分的に点線で示された、中間構成にある図１のキャリングケースの斜視図である。
【図５】部分的に切り欠いて示された、中間構成にある図１のキャリングケースの斜視図である。円内は、切り欠いた部分の拡大図である。
【図６】開放構成にあり、かつ、カメラおよびレンズを含む図１のカメラキャリングケースの斜視図である。
【図７】人の肩から吊り下げられたカメラキャリングケースを示す、閉鎖構成にある図１のカメラキャリングケースの斜視図である。
【図８】人の肩から吊り下げられたキャリングケースを示す、開放構成にある図１のカメラキャリングケースの斜視図である。
【図９】改良されたカメラキャリングケースの第２の実施形態の分解図である。
【図１０】閉鎖構成にある、図９のカメラキャリングケースの斜視図である。
【図１１】部分的に切り欠いて示され、かつ、部分的に点線で示された、中間構成にある図９のキャリングケースの斜視図である。円内は、切り欠いた部分の拡大図である。
【発明を実施するための形態】
【００１４】
図面を参照するが、最初に図１を参照すると、改良されたカメラキャリングケース１０の第１の実施形態が示されている。カメラキャリングケース１０は通常、引き出し部１４を受ける筐体１２を含む。ベルクロ（登録商標）として売られるタイプと同様の、フックおよびループ状ファスナー細片１６および１８状のファスナーがある。当該ファスナーは、係合すると、図１に示されるように、閉鎖構成にあるカメラキャリングケース１０を維持するのに役立つ。フックおよびファスナー細片の第１のもの１６は引き出し部１４上に配置され、フックおよびファスナー細片の第２のもの１８は、筐体１２に連結される閉鎖ストラップ２０上に配置される。筐体１２に連結されて、カメラキャリングケース１０の携帯を容易にするストラップ２２がある。また、フックおよびループ状ファスナー細片１６および１８が外される時に引き出し部１４の開放を容易にするために、引き出し部１４上に取っ手２４がある。
【００１５】
筐体１２は図２に最も良く示されている。筐体１２は、底部２６と、筐体１２の底部２６から外方に伸長する一対の筺体留め具２８ａおよび２８ｂとを含む。筐体１２の底部２６から外方に伸長する一対の脚部３０ａおよび３０ｂもある。この例において、筺体留め具２８ａおよび２８ｂは通常、円周溝３２ａおよび３２ｂをそれぞれ有して円筒形である。脚部３０ａおよび３０ｂは通常くさび形状であり、カメラキャリングケース１０が平面上に置かれる時に当該ケースの平衡を保つ働きをする。
【００１６】
対向する第１の筐体側壁３４および第２の筐体側壁３６は、筐体１２の底部２６から伸長する。筐体側壁３４および３６は、その内側にくぼみ３８および４０をそれぞれ有する。くぼみ３８および４０は、この例ではアーチ形状である。第１の筐体側壁３４の内側に、溝４２ａおよび４２ｂもある。溝４２ａおよび４２ｂは、第１の筐体側壁３４におけるくぼみ３８から第１の側壁３４の自由縁４４まで伸長する。第１の筐体側壁３４の自由縁４４には切欠き４６ａおよび４６ｂがある。切欠き４６ａおよび４６ｂは、第１の筐体側壁３４における溝４２ａおよび４２ｂのうちの対応するものと連通している。同様に、第２の筐体側壁３６の内側に、溝４８ａおよび４８ｂがある。溝４８ａおよび４８ｂは、第２の筐体側壁３６におけるくぼみ４０から第２の筐体側壁３６の自由縁５０まで伸長する。第２の筐体側壁３６の自由縁５０には切欠き５２ａおよび５２ｂがある。切欠き５２ａおよび５２ｂは、第２の筐体側壁３６における溝４８ａおよび４８ｂのうちの対応するものと連通している。ストラップ２２の対向する端部２１および２３はそれぞれ、筐体側壁３４および３６の外側に連結される。
【００１７】
筺体前壁５４および筺体後壁５６はまた、筐体１２の底部２６から伸長し、かつ、筐体側壁３４および３６間で伸長する。筺体前壁５４の高さは、筐体側壁３４および３６より低く、筐体１２の最上部１３に対して途中までしか伸長していない。筺体前壁５４の自由縁６０は、筐体側壁３４および３６間で伸長する。筺体後壁５６の高さは、筐体側壁３４および３６と実質的に同等であり、筐体１２の最上部１３まで伸長している。筺体後壁５６の自由縁６２は、筐体側壁３４および３６の自由縁４４および５０と同一平面である。この例において、筺体前壁５４は、筺体後壁５６ならびに筐体側壁３４および３６の半分以下の高さを有する。
【００１８】
引き出し部１４はまた、図２に最も良く示されている。引き出し部１４は、底部６４と、引き出し部１４の底部６４にわたって伸長する溝６６とを含む。本明細書で使用される、引き出し部１４の「底」、「前」および「後」という用語は、図４に示されるように、引き出し部１４が開放される時の位置を示す。図２において、引き出し部１４は、図４におけるその開放位置から９０度回転させたものである。対向する引き出し部側壁６８および７０は、引き出し部の底部６４から伸長する。引き出し部側壁６８および７０は、引き出し部留め具７２および７４をそれぞれ有する。この例において、引き出し部留め具７２および７４は通常、円周溝７６および７８をそれぞれ有して円筒形である。引き出し部１４はまた、引き出し部前壁８０および引き出し部後壁８２を含み、その両方は引き出し部側壁６８および７０間で伸長する。取っ手２４が引き出し部前壁８０上にある。筐体１２が引き出し部後壁８２を受ける。引き出し部は、図４および５により良く示されるカバー８４も含む。再び図２を参照すると、カメラキャリングケース１０はまた、一対の弾力性を有する無端引張りストラップ８６および８８を含む。当該引張りストラップ８６および８８は、カメラキャリングケース１０の両側にある対応する対の留め具を係合し、後述されるように、引き出し部１４を筐体１２に結合する。この例における引張りストラップは、肉厚のゴムバンドと同様のエラストマー系ループである。
【００１９】
ここで、図３を参照すると、引き出し部１４を筐体１２に結合する引張りストラップのうちの１つ８８が示されている。引き出し部１４の反対側においても同様に、他の引張りストラップ８６が引き出し部１４を筐体１２に結合することは、当業者には理解されるであろう。従って、他の引張りストラップ８６が、引き出し部の反対側で同様の構成要素を係合することによって同様に機能することを理解した上で、本明細書では引張りストラップのうちの１つ８８のみが詳細に論述される。引張りストラップ８８は、引き出し部留め具のうちの１つ７４の円周溝７８を係合し、筺体留め具のうちの第１のもの２８ａの円周溝３２ａも係合する。それによって、引張りストラップ８８は、引き出し部留め具７４および筺体留め具２８ａ両方の周りで伸長する。特に、引張りストラップ８８は、筐体１２上の筺体留め具２８ａから、筐体１２の底部２６の外側および筐体側壁３６の外側に沿って、筐体側壁３６の自由縁５０における切欠き５２ａおよび５２ｂまで伸長する。引張りストラップ８８は、切欠き５２ａおよび５２ｂを通って、筐体側壁３６における溝４８ａおよび４８ｂ内へ伸長するが、これは図２に示されている。再び図３を参照すると、引張りストラップ８８はその後、筐体側壁３６におけるくぼみ４０内に配置された、引き出し部１４上の引き出し部留め具７４の周りを伸長する。引き出し部１４上の筐体留め具７４は、筐体側壁３６におけるくぼみ４０に沿って移動可能である。代替実施形態において、１つの筺体留め具、１つの引き出し部留め具、および、１つの引張りストラップのみがある場合がある。
【００２０】
図３に示されるように、カメラキャリングケース１０が閉鎖構成にある時、引き出し部留め具７４は筐体１２の底部２６近くにあり、引張りストラップ８８は伸長かつ張架される。閉鎖構成において、筐体１２が引き出し部１４を受ける。フックおよびループ状ファスナー細片１６および１８を外すことによって、使用者は、取っ手２４を使用して、引き出し部１４を筐体１２から取り外すことができる。その後、カメラキャリングケース１０が図３に示される閉鎖構成にある時、引き出し部１４を筐体１２に対するその位置から９０度回転させることによって、カメラキャリングケース１０を図４に示される中間構成へと移動させる。中間構成において、引き出し部１４は筐体１２に垂直に伸長し、カバー８４によって覆われたままである。
【００２１】
図３に示される閉鎖構成から図４に示される中間構成までのカメラキャリングケース１０の移動は、カメラキャリングケース１０を中間構成に片寄らせる、伸長した引張りストラップ８６および８８における位置エネルギーによって容易にされる。伸長した引張りストラップ、例えば、図３に示される引張りストラップ８８によって、引き出し部１４の移動が容易になる。伸長した引張りストラップが縮まると、引き出し部留め具７４および７６は筐体１２の底部２６から離れる。縮まった引張りストラップ、例えば、図４に示される引張りストラップ８８は、引き出し部１４が通常矢印９０によって示される方向において戻って回転させないようにすることによって、引き出し部１４を筐体１２に対して実質的に垂直に維持するのに役立つ。これは、引き出し部留め具７４が図３に示される位置へと筐体の底部２６の方へ移動するように、引張りストラップを伸長させる力が加えられるはずだからである。図５および５Ａに最も良く示されるように、通常矢印９２によって示される方向における引き出し部１４の移動は、引き出し部１４の底部６４における溝６６による、前壁５４の自由縁６０の係合によって、限られたものになる。この例において、前壁の自由縁６０は凸状であり、引き出し部１４の底部における溝６６は凹状である。
【００２２】
図５に示されるサムロック９４状のファスナーは、引き出し部１４のカバー８４を引き出し部前壁８０に固着させる。サムロック９４を作動させることによって、カメラキャリングケース１０は図６に示される開放構成を実現することができ、ここで、カバー８４は取り外されるか縮められ、しまい込まれたカメラ９６を出し入れすることができる。カメラキャリングケース１０のこの第１の実施形態において、レンズ１００または他の器材をカメラ９６とは別にしまい込むことができる引き出し部１４には、仕切り、例えば、仕切り９８がある。カメラキャリングケース１０のこの第１の実施形態はまた、ジッパー１０４を通して出し入れできる引き出し部１４の前壁におけるポケット１０２を含む。
【００２３】
図７に示されるように、本明細書で開示されたカメラキャリングケース１０の第１の実施形態によって、使用者１０６は、閉鎖構成、または、図８に示されるように開放構成のどちらかにおいてカメラケース１０を携帯することができる。閉鎖構成において、筐体１２内で引き出し部１４を受け、カメラ９６は確実にしまい込まれる。開放構成において、引き出し部１４は、閉鎖構成におけるその相対的位置から筐体１２に対して９０度回転され、筐体１２に対して実質的に垂直に伸長する。引き出し部１４はまた、使用者１０６がカメラ９６を出し入れすることができるように、開放構成ではカバーは取られる。
【００２４】
ここで図９を参照すると、改良されたカメラキャリングケース１１０の第２の実施形態が示されている。カメラキャリングケース１１０は通常、引き出し部１１４を受ける筐体１１２を含む。ベルクロ（登録商標）として売られるタイプと同様の、フックおよびループ状ファスナー細片１１６および１１８状のファスナーがある。当該ファスナーは、係合すると、図１０に示されるように、閉鎖構成にあるカメラケースを維持するのに役立つ。フックおよびファスナー細片の第１のもの１１６は引き出し部１１４上に配置され、フックおよびファスナー細片の第２のもの１１８は、筐体１１２に連結される閉鎖ストラップ１２０上に配置される。筐体１１２に連結されて、カメラキャリングケース１１０の携帯を容易にするストラップ１２２がある。フックおよびループ状ファスナー細片１１６および１１８が外される時に引き出し部１１４を筐体１１２から取り外すことを容易にするために、引き出し部１１４上に取っ手１２４もある。
【００２５】
再び図９を参照すると、筐体１１２は一対の開口部１２７ａおよび１２７ｂを有する底部１２６を含む。筐体１１２の底部１２６から外方に伸長する一対の脚部１３０ａおよび１３０ｂもある。この例において、脚部１３０ａおよび１３０ｂは通常くさび形状であり、カメラキャリングケース１１０が平面上に置かれる時に当該ケースの平衡を保つ働きをする。対向する第１の筐体側壁１３４および第２の筐体側壁１３６は、筐体１１２の底部１２６から当該筐体の最上部１１３まで伸長する。筺体前壁１５４および筺体後壁１５６はまた、筐体１１２上の底部１２６から、筐体側壁１３２および１３６間で伸長する。筺体後壁１５６には、間隙を介した一対の開口部１５７ａおよび１５７ｂがある。
【００２６】
筺体前壁１５４の高さは、筐体側壁１３４および１３６より低い。筺体前壁１５４の自由縁１６０は、筐体側壁１３４および１３６間で伸長するが、筐体側壁１３４および１３６のそれぞれの自由縁１４４および１５０より下にある。後壁１５６の高さは、筐体側壁１３４および１３６と実質的に同等である。筺体後壁１５６の自由縁１６２は、筐体側壁１３４および１３６の自由縁１４４および１５０と同一平面である。この例において、筺体前壁１５４は、筺体後壁１５６の３分の１以下の高さを有する。
【００２７】
引き出し部１１４は、底部１６４と、引き出し部１１４の底部１６４にわたって伸長する溝１６６とを含む。本明細書で使用される、引き出し部１１４の「底」、「前」および「後」という用語は、図１０に示されるように、引き出し部１１４が開放される時の位置を示す。図９において、引き出し部１１４を、図１０におけるその開放位置から９０度回転させる。対向する第１の引き出し部側壁１６８および第２の引き出し部側壁１７０は、引き出し部の底部１６４から伸長する。引き出し部１１４はまた、引き出し部前壁１８０および引き出し部後壁１８２を含み、その両方は引き出し部側壁１６８および１７０間で伸長する。取っ手１２４が引き出し部前壁１８０上にある一方で、筐体１１２内で引き出し部後壁１８２を受ける。引き出し部後壁１８２から外方に伸長する間隙を介した一対の突出部１８３ａおよび１８３ｂがある。突出部１８３ａおよび１８３ｂは、溝１８５ａおよび１８５ｂをそれぞれ有する。引き出し部１１４は、図１１により良く示されるカバー１８４も含む。
【００２８】
図１０に示される閉鎖構成において、引き出し部１１４上の突出部１８３ａおよび１８３ｂを、筐体１１２の底部１２６における開口部１２７ａおよび１２７ｂ内で受ける。これによって、引き出し部１１４が最初に筐体から引き出されて、引き出し部１１４上の突出部１８３ａおよび１８３ｂが筐体１１２の底部１２６における開口部１２７ａおよび１２７ｂから外されない限り、筐体１１２に対する引き出し部１１４の移動は限られたものになる。
【００２９】
図１０に示される閉鎖構成から図１１に示される中間構成までのカメラキャリングケース１１０の移動は、引き出し部１１４が筐体１１２から引き出されること、および、カメラキャリングケース１１０が図１０に示される閉鎖構成にある時、引き出し部１１４を筐体１１２に対するその位置から９０度回転させることを必要とする。サムロック１９４を作動させて、カメラキャリングケース１１０の第２の実施形態を、カメラキャリングケース１０の第１の実施形態について図６に示されるのと同様の開放構成へと移動させることによって、引き出し部１１４のカバーは取られる。中間構成において、引き出し部１１４は、筐体１１２に対して実質的に垂直に伸長する。
【００３０】
再び図１１を参照すると、カメラキャリングケース１１０の第２の実施形態が中間構成または開放構成にある時、引き出し部１１４上の突出部１８３ａおよび１８３ｂを、筺体後壁１５６における開口部１５７ａおよび１５７ｂのうちの各１つの中で受ける。通常矢印１９２によって示される方向における引き出し部１１４の回転は、筐体１１２の後壁１５６における開口部１５７ａおよび１５７ｂの各縁端部１５９ａおよび１５９ｂを係合する、引き出し部１１４上の突出部１８３ａおよび１８３ｂにおける溝１８５ａおよび１８５ｂによって限られたものになる。通常矢印１９２によって示される方向における引き出し部１１４の回転はまた、前壁１５４の自由縁１６０と、引き出し部１１４の底部１６４における溝１６６との係合によって限られたものになる。本明細書に開示されたカメラキャリングケース１１０の第２の実施形態は通常、より大きいカメラに対して使用され、通常矢印１９０によって示される方向における引き出し部１１４の回転は、カメラの重量によって限られたものになる。
【００３１】
上記の細部の多くは例としてのみ示され、本発明の範囲を制限することを意図しておらず、本発明は、添付の特許請求の範囲を参照して判断されるべきであることは、当業者には理解されるであろう。
【図１】
2018158127.tif 000003
【図２】
2018158127.tif 000004
【図３】
2018158127.tif 000005
【図４】
2018158127.tif 000006
【図５】
2018158127.tif 000007
【図６】
2018158127.tif 000008
【図７】
2018158127.tif 000009
【図８】
2018158127.tif 000010
【図９】
2018158127.tif 000011
【図１０】
2018158127.tif 000012
【図１１】
2018158127.tif 000013